(57)【特許請求の範囲】
【請求項１】
ＶｏＩＰ（Ｖｏｉｃｅ  ｏｖｅｒ  ＩＰ）サービスに用いられるＶｏＩＰ用通信端末において、
ＶｏＩＰ用通信端末は、内蔵スピーカと、外部インターフェイスを介して接続されたヘッドセットとを少なくとも含む複数の着信音発生手段と、
内蔵スピーカと、外部インターフェイスを介して接続されたヘッドセットとを少なくとも含む複数の会話手段と、
受信した着信音発生信号と会話信号を認識して区別する処理手段と、
上記複数の着信音発生手段中の１つおよび複数のいずれかに対し、ユーザからの選択が入力される着信音出力選択手段と、上記複数の会話手段中の１つおよび複数のいずれかに対し、ユーザからの選択が入力される会話信号出力選択手段と、
上記着信音出力選択手段よりの上記選択入力と、上記処理手段よりの上記区別入力に応じて、選択された着信音発生手段に上記処理手段で区別した上記着信音発生信号を出力させるように、また上記会話信号出力選択手段よりの上記選択入力と、上記処理手段よりの上記区別入力に応じて、選択された会話信号発生手段に上記処理手段で区別した上記会話信号を出力させるように、出力先設定スイッチ／コピー部を制御する出力先設定スイッチ／コピー制御部と、
上記出力先設定スイッチ／コピー制御部の制御により、上記処理手段により区別された着信音発生信号と会話信号をそれぞれ上記選択された上記着信音出力手段と上記会話信号出力手段に出力する上記出力先設定スイッチ／コピー部と、
を備えたことを特徴とするＶｏＩＰ用通信端末。
【発明の詳細な説明】
【０００１】
【発明の属する技術分野】
本発明は、VoIP（Voice  over  IP）サービス（インターネット電話サービス）を実現する際において使用される、複数の着信音発生手段及び会話手段（あるいは複数の出力部）のうち、設定された着信音発生手段（あるいは出力部）に着信音発生信号を出力し、設定された会話手段（あるいは出力部）に会話信号を出力する構成を備え、ユーザの操作性を向上させたVoIP用通信端末に関する。
【０００２】
【従来の技術】
図６は、従来のVoIPサービスにおける通信端末として用いられるVoIP用ＰＣ(Personal  Computer)端末1-3の状態・構成図である。
VoIP用ＰＣ端末1-3は、通信インターフェイス２０、呼処理部３０、スピーカ・マイク切換スイッチ部５０、内蔵スピーカ３、内蔵マイク（あるいは外付けマイク）５、スピーカ端子１０、マイク端子１１、スピーカ・マイク切換スイッチ制御部５１及び外部インターフェイス４とから構成される。また、ヘッドセット２はスピーカ・マイク端子１０、１１に接続される。
呼処理部３０は、通信インターフェイス２０からの信号を受信し、着信音発生信号、会話信号をスピーカ・マイク切換スイッチ部５０に出力する。また、呼処理部３０は、内蔵マイクあるいはヘッドセットからの会話信号を通信インターフェイス２０に出力する。
【０００３】
スピーカ・マイク切換スイッチ部５０は、呼処理部３０からの信号を内蔵スピーカ３・内蔵マイク５、あるいはスピーカ・マイク端子１０、１１を介してヘッドセット２に選択的に切換えて出力する。
ここで、スピーカ端子１０とマイク端子１１へのヘッドセット２の接続の有無により、接続されている場合には、着信音発生手段、会話手段は該ヘッドセットで実現し、接続されていない場合には、着信音発生手段、会話手段は内蔵スピーカ・マイクで実現する。これらの切換えはスピーカ・マイク切換スイッチ部５０で行われ、内蔵スピーカ・マイクとスピーカ・マイク端子（ヘッドセット）の使用は排他的に選択され、同時に使用することはできない。スピーカ・マイク切換スイッチ制御部５１はスピーカ・マイク切換スイッチ部５０を制御する。一般に、ヘッドセットのプラグをスピーカ・マイク端子に差し込むことにより接続、及び選択的な切換えが行われる。
【０００４】
なお、従来のVoIP用ＰＣ端末は呼処理部３０からの着信音発生信号及び会話信号を外部インターフェイス４に出力する手段を備えていない。
従来のVoIP用ＰＣ端末に対してVoIPの着信音発生を行う場合、▲１▼ユーザはヘッドセットをＰＣ端末のスピーカ・マイク端子に接続して装着し、これにより、着信音発生をヘッドセットを介して確認後、所定の操作を行い、会話を開始していた。一方、▲２▼ヘッドセットをＰＣ端末に接続せず、内蔵スピーカにより着信音発生を行う場合がある。この時、▲２▼-1着信音発生を内蔵スピーカにより確認後、▲２▼-2通常、ユーザは周囲雑音を考慮してヘッドセットのプラグをスピーカ・マイク端子に差し込むことによりヘッドセットを用いて会話を開始する。
【０００５】
【発明が解決しようとする課題】
しかしながら、上述した従来のシステムでは、次のような問題がある。
従来例▲１▼の場合においては、ＰＣ端末に接続したヘッドセットをユーザが装着していない場合には、着信音発生を認識することが困難となり、結果として通話を開始することができなかった。
従来例▲２▼の場合においては、着信音の発生を内蔵スピーカにより確認後、ヘッドセットを装着する必要があり、操作が煩雑となる。
【０００６】
【課題を解決するための手段】
上記課題を解決するために、本発明の通信端末のVoIP機能において呼処理部及び出力先スイッチ／コピー部を有し、呼処理部により着信音発生信号と会話信号の区別後、出力先スイッチ／コピー制御部の設定に従って着信音発生信号を１または複数の着信音発生手段（あるいは出力部）に選択的に出力できる機能を有する。
本発明は従来の着信認識の困難さや、操作の煩雑さを解決することを目的とする。
【０００７】
【発明の実施の形態】
（実施例１）
図１と図２に、本発明のVoIP（Voice  over  IP）サービス（インターネット電話サービス）における通信端末として用いられるVoIP用ＰＣ端末1-1の着信時、会話開始時における状態・構成図を示す。
VoIP用ＰＣ端末1-1は、通信インターフェイス２０、呼処理部３０、出力先設定スイッチ／コピー部４０、出力先設定スイッチ／コピー制御部４１、スピーカ・マイク切換スイッチ部５０、内蔵スピーカ３、内蔵マイク（あるいは外付けマイク）５、スピーカ端子１０、マイク端子１１、スピーカ・マイク切換スイッチ制御部５１、及び外部インターフェイス４とから構成される。（上記記載の「コピー」は、着信音発生信号、会話信号の出力先が複数であることを意味する（図４、２２２、２３２参照））
【０００８】
ここで着信音発生手段と会話手段への着信音発声信号と会話信号の出力は図５において説明したスピーカ・マイク切換スイッチ部５０に加え、出力先設定スイッチ／コピー部４０を用いることにより行う。出力先設定スイッチ／コピー制御部４１により出力先設定スイッチ／コピー部４０を制御して、着信音発生信号はスピーカ・マイク切換スイッチ部５０側（内蔵スピーカ３）へ出力し、会話信号については外部インターフェース４側（ヘッドセット２）へ出力する。この場合、上記の接続は、出力先設定スイッチ／コピー制御部４１内の設定手段の設定により行われる。この設定は予め設定されたものでもよいし、図４に示すようにユーザが任意に設定できるように構成してもよい。
これによりヘッドセット２を接続したまま内蔵スピーカ３により着信音発生信号が出力可能となり、上記課題を解決することができる。
また、設定により着信音発生信号をヘッドセットに出力、あるいはスピーカとヘッドセットの両方に出力することも可能である。
【０００９】
以下、本発明をVoIP用ＰＣ端末の画面の操作イメージを用いて説明する。
図３は本発明のVoIP用ＰＣ端末の着信時における画面の操作イメージであり、VoIP用ＰＣ端末１が着信信号を受信すると、内蔵スピーカ３に着信音信号を送りスピーカ３から着信音が出力される。会話はユーザが音声通信ソフトウェア２００の通信開始ボタン２１０を押すことにより開始され、外部インターフェイス４に接続されたヘッドセット２（すなわち、会話手段）を用いて行われる。
【００１０】
図４は、着信音発生信号と会話信号の出力先を選択して設定する操作画面イメージであり、会話出力については、内蔵スピーカ出力ボタン２２０、外部インターフェイス出力ボタン２２１、内蔵スピーカ＋外部インターフェイス出力ボタン２２２を有し、着信音出力については、内蔵スピーカ出力ボタン２３０、外部インターフェース出力ボタン２３１、内蔵スピーカ＋外部インターフェイス出力ボタン２３２を有する。これら各出力インターフェイスに対応するボタンを押下することで、着信音発生信号及び会話信号のそれぞれを内蔵スピーカ３への出力、外部インターフェイス４への出力及び両方への出力を各々設定することが可能である。なお、外部インターフェイス出力ボタンが選択されて設定された場合にはヘッドセットに着信音発生、会話信号が出力される。
さらに上記実施例１においてVoIP用ＰＣ端末について説明を行ったが、VoIPが実現される他のプラットフォームについても適用されることは明らかである。
さらに上記実施例において、会話手段（音声入出力手段）あるいは着信音発生手段はヘッドセットに特化した説明となっているが、ハンドセットなどについても適用可能であることは明らかである。
【００１１】
（実施例２）
実施例２の通信端末は、例えば外形をカード形状としてＰＣ端末に接続することにより用いられる。
図５にVoIPサービスに用いられるVoIP用通信端末の構成図を示す。
VoIP用通信端末1-2は、通信インターフェイス２０、呼処理部３０、出力先設定スイッチ／コピー部４０、出力先設定スイッチ／コピー制御部４１から構成され、出力先設定スイッチ／コピー部４０の複数の出力部（複数の外部インターフェイス4-1、4-2）を備える。
【００１２】
通信インターフェイス２０、呼処理部３０、出力先設定スイッチ／コピー部４０、出力先設定スイッチ／コピー制御部４１の構成及び機能は実施例１と同様である。VoIP用通信端末は、出力先設定スイッチ／コピー部４０から出力される着信音発生信号と会話信号は出力先設定スイッチ／コピー制御部４１により制御され、設定された出力部（外部インターフェイス）に出力される。このように構成することにより通信端末の小型化が可能となる。
【００１３】
【発明の効果】
以上説明したように、本発明の通信端末のVoIP機能において呼処理部に加えて出力先設定スイッチ／コピー部を有し、呼処理部により着信音発生信号と会話信号の区別の後、出力先設定スイッチ／コピー制御部の設定に従って着信音発生信号と会話信号を、内蔵スピーカや外部インターフェイス（ヘッドセット）（あるいは出力部）に選択的に出力できる。したがって、インターネット電話におけるユーザの操作性を向上させることが可能となる。
【図面の簡単な説明】
【図１】本発明の実施例１の着信時におけるVoIP用ＰＣ端末の状態・構成図。
【図２】本発明の実施例１の会話開始時におけるVoIP用ＰＣ端末の状態・構成図。
【図３】本発明の実施例１のVoIP用ＰＣ端末の操作画面のイメージを示す図。
【図４】本発明の実施例１のVoIP用ＰＣ端末の会話出力の際の出力先を選択する操作画面のイメージを示す図。
【図５】本発明の実施例２のVoIP用通信端末の構成図。
【図６】従来のVoIP用ＰＣ端末の状態・構成図。
【符号の説明】
1-1,1-3・・・VoIP用ＰＣ端末、1-2・・・VoIP用通信端末、２・・・ヘッドセット、３・・・内蔵スピーカ、４・・・外部インターフェイス、５・・・内蔵マイク、２０・・・通信インターフェイス、３０・・・呼処理部、４０・・・出力先設定スイッチ／コピー部、４１・・・出力先設定スイッチ／コピー制御部、５０・・・スピーカ・マイク切換スイッチ部
【図１】
0004202014.tif 000002
【図２】
0004202014.tif 000003
【図３】
0004202014.tif 000004
【図４】
0004202014.tif 000005
【図５】
0004202014.tif 000006
【図６】
0004202014.tif 000007